(57)【要約】【課題】  圧力隔壁の内部の液面を安定して徐々に低下させ第２の抄紙槽内に戻し、紙層の形成物を損なうことのない電気音響変換器用振動板の製造方法およびその製造装置を提供する。【解決手段】  二次の抄紙工程において、一層目の紙層２５を吸着した状態の上下動自在な第２の抄紙網を降下させ、その下方外側に設けられた圧力隔壁５の下部の圧力隔壁下部スリット３２を第２のパルプスラリーＰ２の液面下に徐々に入れ完全に入った状態で降下を停止し、上方に排水して圧力隔壁５の中の液面を層流状態で圧力隔壁５内を上昇させて二層目の抄紙を行い、抄紙完了後、圧力隔壁５を上昇させ圧力隔壁下部スリット３２を徐々に液面から出すことにより、圧力隔壁５内に徐々に空気が入るようにし、内部の液面を水平かつ層流に近い状態でもって安定して低下させ第２の抄紙槽７内に戻すようにし、一層目の紙層２５およびこれに堆積した二層目の紙層２６の堆積物の変形や剥れなどを防止する構成とした。【選択図】  図１
2006180360.tif 000002
【特許請求の範囲】
【請求項１】
少なくとも第１の抄紙網（１）が設けられた第１の抄紙槽（２）を有する第１の抄紙装置（３）と、ほぼ水平方向およびほぼ上下方向に移動自在な第２の抄紙網（４）および定位置に配された第２の抄紙槽（７）とを有する第２の抄紙装置（８）とを備え、第１の抄紙装置（３）によって一層目の紙層（２５）を形成し、この一層目の紙層（２５）を前記第２の抄紙網（４）を前記第１の抄紙槽（２）側に位置させ吸着し、前記第２の抄紙槽（７）側に移動させ逆さ漉きによって前記一層目の紙層（２５）に二層目の紙層（２６）を堆積させる製造方法において、
前記第２の抄紙網（４）の下方外側位置に、下部に複数個の圧力隔壁下部スリット（３２）が形成されたほぼ円筒状の圧力隔壁（５）が設けられ、この圧力隔壁下部スリット（３２）を徐々に前記第２の抄紙槽（７）内のパルプスラリー（Ｐ２）に入れ完全に入った時点で前記パルプスラリー（Ｐ２）の液面を上昇させ前記一層目の紙層（２５）に二層目の紙層（２６）を堆積させ、堆積後、前記第２の抄紙網（４）および前記圧力隔壁（５）を徐々に上昇させ、
前記圧力隔壁下部スリット（３２）の上端が前記第２のパルプスラリー（Ｐ２）の液面より上に出た時点で前記圧力隔壁下部スリット（３２）を介し前記圧力隔壁（５）内に大気を流入させ、
前記圧力隔壁（５）の上昇に伴い前記大気を徐々に流入させ前記圧力隔壁（５）内の液面を徐々に水平かつ層流に近い安定した状態で低下させることを特徴とする電気音響変換器用振動板の製造方法。
【請求項２】
少なくとも一層目の紙層（２５）を形成する第１の抄紙網（１）が設けられた第１の抄紙槽（２）を有する第１の抄紙装置（３）と、ほぼ水平方向および上下方向に移動自在であって、前記一層目の紙層（２５）を吸着しつつ二層目の紙層（２６）を形成する第２の抄紙網（４）および定位置に配された第２の抄紙槽（７）とを有する第２の抄紙装置（８）とを備え、
前記第２の抄紙網（４）の下方外側位置に圧力隔壁（５）が設けられ、この圧力隔壁（５）の下部に、前記第２の抄紙槽（７）内のパルプスラリー（Ｐ２）の液面下に徐々に入り、徐々に液面上に引き上げられる圧力隔壁下部スリット（３２）を形成したことを特徴とする電気音響変換器用振動板の製造装置。
【請求項３】
請求項２記載の電気音響変換器用振動板の製造装置において、
前記圧力隔壁下部スリット（３２）は間隔を介し複数形成されたことを特徴とする電気音響変換器用振動板の製造装置。
【請求項４】
請求項２記載の電気音響変換器用振動板の製造装置において、
前記第２の抄紙網（４）は、第２の真空ポンプ（１９）と接続された内部が細管構造であって吸着排気機能を有する第２の抄紙網支持部（１６）の下部に設けられたことを特徴とする電気音響変換器用振動板の製造装置。
【発明の詳細な説明】
【技術分野】
【０００１】
この発明は、音響機器の一種であるスピーカやマイクロホン等の電気音響変換器用振動板の製造方法およびその振動板を製造する装置に関する。
【背景技術】
【０００２】
電気音響変換器用振動板としては、種々のものが存在するが、軽量で高剛性であり、製造条件のコントロールにより、目的とする性能が容易に得られ、自由度を有するパルプ抄紙振動板が古くから多く用いられてきた。
【０００３】
この振動板は抄紙工程を経て製造されるが、通常、１回の抄紙工程で単層のものを製造できる。
【０００４】
しかし、振動板として要求される物理的性質として、弾性、剛性、内部損失等がある。また、環境安定性として、耐水性、耐熱性、難燃性等があり、加えて最近では意匠面からの要求もあり、これらの相反する要求事項を満たすには１種類の材料から抄造される単層の振動板では困難である。
【０００５】
これらの相反する各種要求事項を満たす方法として、振動板を様々な機能を有
する層を積層して構成し、単層では得られない性能を有する多層構造とする製造
方法が種々提案されている。
【０００６】
この振動板を得る方法としては、一般的には、複数個の単層の振動板を用意し
ておき、これらをそれぞれ接着剤で貼り合わせて多層振動板を得ている。
【０００７】
しかしながら、この場合、各層間の接着層は本来の接着機能の他に、振動板本
体の一部を構成することとなり、質量が増加するなど、振動板に求められる性質
を満足するには却って障害となる場合が多い。
【０００８】
このため、接着剤を用いることなく、抄紙段階で多層構造をとり、各層間を材
料相互の抄紙時の絡み合いを利用して結合して一体化し、加熱乾燥して振動板を
製造する、湿式の多層抄紙振動板が種々、提案されている。
【０００９】
この従来例として、例えば特開昭４８−２９４２１が存在する。この従来例では同一の抄紙槽内に順次異なるパルプスラリー（紙料分散液）を供給し、順次抄紙を行い、多層の振動板を製造するようにしている。
【００１０】
この従来例では同一の抄紙槽を用いているため、前工程のパルプスラリーが残っていると各層は明確な界面とならなかったりする。
【００１１】
また、パルプスラリーは水に高密度の紙パルプ、有機繊維、無機繊維、無機粉体などを分散させたものであり、その大半が水より高い比重を持ち水中で沈殿し易く、繊維においてはその形態から絡み合い易く、粉体では凝集し易い。したがって、抄紙槽の中に撹拌手段を設け、パルプスラリーを撹拌し続け、強い乱流状態にし、沈殿や、絡み合い、凝集を防いでいる。したがって、前工程での残っていたパルプスラリーと次工程で抄紙槽に投入した物性の異なる新たなパルプスラリーとが混ざってしまい所望の振動板が得られない、という欠点がある。
【００１２】
このため、特許第３５１７７３６号や特開２００４−８０４６５に見られるように、抄紙槽を複数にし、それぞれの抄紙槽で抄紙を行い多層の振動板を製造する方法がある。
【特許文献１】特開昭４８−２９４２１
【特許文献２】特許第３５１７７３６号
【特許文献３】特開２００４−８０４６５
【発明の開示】
【発明が解決しようとする課題】
【００１３】
特許第３５１７７３６号では一次抄紙槽で一次抄紙を行い、堆積した紙料を二次抄紙網に転写し、吸着せしめた状態を維持しながら一次抄紙を二次抄紙槽内のパルプスラリーの液中に置き、上方に排水して一次抄紙上に二次抄紙を堆積させて多層の振動板を製造するようにしている。
【００１４】
この場合、二次抄紙槽内のパルプスラリーは、沈殿や、繊維の絡み合い、凝集等を防止するために例えば特開昭４８−２９４２１の第１図に示すような抄紙槽内に設けられた撹拌手段によって撹拌され、パルプスラリーは強い乱流状態にある。
【００１５】
その乱流状態にある二次抄紙槽内のパルプスラリーの液中に一次抄紙を置くと、この一次抄紙は十分に水を含んで、粥状であり、粘度が低下し、流動し易いため、強い乱流状態のパルプスラリーの力を受けて変形したり、一部が剥離するなどの擾乱現象がおき、所望の振動板を得ることができない、という課題がある。
【００１６】
本願出願人によって先に提出した特開２００４−８０４６５では上記課題を解決するために第２の抄紙網の外周部に円筒状の圧力隔壁を設けている。
【００１７】
すなわち、特開２００４−８０４６５では、第１の抄紙槽内のパルプスラリーを抄紙して一次紙料を作製し、それに二次の紙料を堆積させるべく一次紙料を吸着して第２の抄紙槽側へ搬送手段を介し搬送させ、圧力隔壁の下端が第２の抄紙槽内のパルプスラリーの液面に入った時点で搬送手段の下降を停止している。
【００１８】
つまり、圧力隔壁の下端のみがパルプスラリーの液面下に入り一次紙料は第２の抄紙槽内の強い乱流状態にあるパルプスラリーの液中に置かないようにしている。
【００１９】
搬送手段に設けた真空ポンプは吸引を行うため、圧力隔壁の下端が第２の抄紙槽内のパルプスラリーの液面に入った時点で吸引により圧力隔壁の内側のパルプスラリーの液面は上昇を開始し、２層目の抄紙を開始するようにし、一時紙料が強い乱流状態にある第２の抄紙槽内のパルプスラリーによって擾乱されないようにし、二次の抄紙層の安定かつ均一な堆積が行われるようにし、多層の振動板を製造するようにしている。
【００２０】
しかしながら、二次抄紙が終了した時点で圧力隔壁の下端を液面上に引き上げるが、圧力隔壁の下端がパルプスラリーの液面から出た瞬間に圧力隔壁内のパルプスラリーが一気に流下してしまうため、圧力隔壁内の上部にある水を含んで流動性のある紙料の堆積物は液の流下の影響により変形を起こしたり、一部が剥離するなどの擾乱を受け、せっかく安定的に堆積させ形成させた紙層を損なう、という課題がある。
【００２１】
この発明は上記の点に鑑み提案されたもので、その目的とするところは、圧力隔壁の内部の液面を安定して徐々に低下させ第２の抄紙槽内に戻し、紙層の形成物を損なうことのない電気音響変換器用振動板の製造方法およびその製造装置を提供することにある。
【課題を解決するための手段】
【００２２】
請求項１記載の発明は、少なくとも第１の抄紙網１が設けられた第１の抄紙槽２を有する第１の抄紙装置３と、ほぼ水平方向およびほぼ上下方向に移動自在な第２の抄紙網４および定位置に配された第２の抄紙槽７とを有する第２の抄紙装置８とを備え、第１の抄紙装置３によって一層目の紙層２５を形成し、この一層目の紙層２５を前記第２の抄紙網４を前記第１の抄紙槽２側に位置させ吸着し、前記第２の抄紙槽７側に移動させ逆さ漉きによって前記一層目の紙層２５に二層目の紙層２６を堆積させる製造方法において、前記第２の抄紙網４の下方外側位置に、下部に複数個の圧力隔壁下部スリット３２が形成されたほぼ円筒状の圧力隔壁５が設けられ、この圧力隔壁下部スリット３２を徐々に前記第２の抄紙槽７内のパルプスラリーＰ２に入れ完全に入った時点で前記パルプスラリーＰ２の液面を上昇させ前記一層目の紙層２５に二層目の紙層２６を堆積させ、堆積後、前記第２の抄紙網４および前記圧力隔壁５を徐々に上昇させ、前記圧力隔壁下部スリット３２の上端が前記第２のパルプスラリーＰ２の液面より上に出た時点で前記圧力隔壁下部スリット３２を介し前記圧力隔壁５内に大気を流入させ、前記圧力隔壁５の上昇に伴い前記大気を徐々に流入させ前記圧力隔壁５内の液面を徐々に水平かつ層流に近い安定した状態で低下させる構成とし、上記目的を達成している。
請求項２記載は本発明の製造装置にかかり、少なくとも一層目の紙層２５を形成する第１の抄紙網１が設けられた第１の抄紙槽２を有する第１の抄紙装置３と、ほぼ水平方向および上下方向に移動自在であって、前記一層目の紙層２５を吸着しつつ二層目の紙層２６を形成する第２の抄紙網４および定位置に配された第２の抄紙槽７とを有する第２の抄紙装置８とを備え、前記第２の抄紙網４の下方外側位置に圧力隔壁５が設けられ、この圧力隔壁５の下部に、前記第２の抄紙槽７内のパルプスラリーＰ２の液面下に徐々に入り、徐々に液面上に引き上げられる圧力隔壁下部スリット３２を形成する構成としている。
請求項３記載の発明は、請求項２記載の電気音響変換器用振動板の製造装置において、前記圧力隔壁下部スリット３２は間隔を介し複数形成されたことを特徴とする。
請求項４記載の発明は、請求項２記載の電気音響変換器用振動板の製造装置において、前記第２の抄紙網４は、第２の真空ポンプ１９と接続された内部が細管構造の第２の抄紙網支持部１６の下部に設けられたことを特徴とする。
【発明の効果】
【００２３】
以上のように本発明の方法、装置によれば、二次の抄紙工程において、一層目の紙層２５を吸着した状態の上下動自在な第２の抄紙網を降下させ、その下方外側に設けられた圧力隔壁５の下部の圧力隔壁下部スリット３２を第２のパルプスラリーＰ２の液面下に徐々に入れ完全に入った状態で降下を停止し、上方に排水して圧力隔壁５の中の液面を層流状態で上昇させて二層目の抄紙を行い、抄紙完了後、圧力隔壁５を上昇させ圧力隔壁下部スリット３２を徐々に液面から出すことにより、圧力隔壁５内に徐々に空気が入るようにし、内部の液面を水平かつ層流に近い状態でもって安定して低下させ第２の抄紙槽７内に戻すようにしているため、形成された一層目、二層目の紙層２５、２６の損傷を防止できる。
【発明を実施するための最良の形態】
【００２４】
以下、図面に沿って本発明の一実施例を説明する。
【００２５】
［実施例］
図１は本発明で用いられる抄紙装置の概略構成を示す。
【００２６】
図１において、左側の破線Ａ内の装置は第１の抄紙装置３、右側の破線Ｂ内は第２の抄紙装置８を示す。
【００２７】
左側の破線Ａ内において、図中１は抄紙網支持台９ａに支持された第１の抄紙網で作製される振動板形状に対応した形状となっている。２はほぼ円筒状をなす第１の抄紙槽で、この第１の抄紙槽２は下部が開口し、かつ上部は塞がれ伸縮自在なピストンロッド２ａ’を有するエアシリンダー２ａに連結され上下方向に昇降自在となっている。また、このエアシリンダー２ａは水平方向に配置された支持部材２ｂによって支持されている。
【００２８】
第１の抄紙槽２は第１の抄紙網１上に位置させ、第１の抄紙槽２は第１の抄紙網支持部９に対し着脱自在に構成されている。エアシリンダー２ａを伸ばし第１の抄紙槽２を第１の抄紙網支持部９にセットした場合、上部に設けられたパルプスラリー供給管１１を介し後述するように第１のパルプスラリーＰ１が内部に注入され、孔１３を介し第１のパルプスラリーＰ１は排水管１３ａの後方に設けられた第１の真空ポンプ１５を介し吸引され、抄紙が行われる。
【００２９】
６は搬送手段で、この搬送手段６はガイドレール２０を有している。２０ａはガイドレール支持部であり、支持台３４上に設けられている。
【００３０】
図中右側の破線Ｂ内において、符号５はほぼ円筒状の圧力隔壁、３２はこの圧力隔壁５の下部に形成された圧力隔壁下部スリットであり、円周方向に複数個適間隔に形成されている。この実施例では、頂部が半円形をした形状のスリットが好ましくは６個形成されているが、必要に応じ、形状は適形状にすれば良く、数も適宜増減し得る。
【００３１】
圧力隔壁５の上部にはフランジ５ａが形成され、圧力隔壁固定板３０の円形の孔を介し円筒状の圧力隔壁５が圧力隔壁固定板３０の下方に突設され、圧力隔壁５はフランジ５ａによって圧力隔壁固定板３０に支持され、かつ上方には別体の第２の抄紙網支持部１６が設けられている。第２の抄紙網支持部１６内には、詳しくは図５に示すように、第２の抄紙網４が設けられ、この第２の抄紙網４は、同図５に示すように、第２の抄紙網支持部１６の下部に設けられている。
【００３２】
この第２の抄紙網支持部１６内は、詳しくは図６に示すように、内部が細管構造をなし、吸着排気機能を有する孔１６Ａが形成されている。すなわち、この吸着排気用の孔１６Ａは、垂直方向に延びる第１の孔１６ａと、その下部において水平方向に屈曲して延びる第２の孔１６ｂと、この第２の孔１６ｂの下部において分枝し垂直方向下方に延びる多数の細管状の第３の孔１６ｃとからなり、第３の孔１６ｃの下部は第２の抄紙網４の上面に臨設している。そして、第１の孔１６ａの上方は、図１に示すように、第２の真空ポンプ１９に接続され、真空ポンプ１９を駆動することにより、後述するように一層の紙層２５（図４参照）を吸着したり、第２の抄紙槽７内のパルプスラリーＰ２を第２の抄紙網４に吸着可能に構成されている。
【００３３】
なお、圧力隔壁５は圧力隔壁固定板３０に支持されている。そして、この圧力隔壁固定板３０は第２の抄紙槽４の側方であって圧力隔壁固定板３０の四隅にそれぞれ立設された圧力隔壁固定板ストッパー４５に支持されている。
【００３４】
この圧力隔壁固定板ストッパー４５は、図１（ｂ）に示すように、上下ストロークが潤滑に行えるポストおよびガイドブッシュからなる構造体からなり、下部に円筒状のストッパー４５ａが設けられ、ストッパー４５ａの位置で下動は停止する。すなわち、詳しくは図７以降において詳述するが、圧力隔壁下部スリット３２が第２のパルプスラリーＰ２の液面下に完全に入ると圧力隔壁固定板３０の下降が停止する。また、周囲にスプリング４５ｂが設けられ、スプリング４５ｂの反発力により圧力隔壁固定板３０は定位置に維持される。図１（ａ）は定位置の状態を示す。なお、図１（ａ）〜図１６において圧力隔壁板ストッパー４５は概略して図示している。
【００３５】
また、図４に示すように、圧力隔壁５と第２の抄紙網支持部１６とは別体となっており、また、第２の抄紙網支持部１６は適宜の支持手段により移動自在な、搬送手段６を構成する移動体３１に支持され、移動体３１と一体となっている。この移動体３１はガイドレール２０に沿って移動可能となっている。
【００３６】
移動体３１は２本のガイドレール２０に跨るように支持され、図示しない周知の移動手段により第１、第２の抄紙装置３、８間等を移動可能に構成されている。抄紙網支持部１６は周知の回転機構（図示せず）により、後述する図１６に示すように回転移動するため、移動体３１の上部プレート板３１ａは回転時の干渉を防ぐため、ほぼ円状にくりぬかれている。
【００３７】
移動体３１の移動手段としては、モータ、歯車機構等を組み合わせれば実現できる。
【００３８】
さらに、第２の抄紙網支持部１６の上部にはエアシリンダー４８が設けられ、上下に昇降自在に構成されている。
【００３９】
なお、第１の抄紙網支持部９、第２の抄紙槽７、ガイドレール支持部２０ａ等は支持台３４に支持されている。
【００４０】
次に本発明による電気音響変換器用振動板の製造方法について説明する。
【００４１】
まず、図２に示すように、第１の抄紙網１の上方に、予め用意されている第１の抄紙槽２をエアシリンダー２ａのピストンロッド２ａ’を伸ばして降下させ、第１の抄紙網支持台９ａに固定する。この固定構造は周知の適宜の固定手段を用いれば良い。そして、第１の原料タンク１０より第１の調整弁１２，パイプ１１等を介し第１の抄紙槽２内に第１のパルプスラリーＰ１を送り、次いで第１の真空ポンプ１５を駆動して第１のパルプスラリーＰ１を吸引して第１の抄紙網１上に、図３に示すように、一層目の紙層２５を形成する。
【００４２】
抄紙を終了した後、図３（ａ）に示すように、第２の抄紙装置８による２層目の紙層形成のため、抄紙網支持台９ａから、エアシリンダー２ａのピストンロッド２ａ’を縮めるなどして第１の抄紙槽２を上昇させ、第１の抄紙網１および一層目の紙層２５から分離する。図３（ｂ）は図３（ａ）中丸で囲んだ部分の拡大図で第１の抄紙網１上に形成された一層目の紙層２５を示す。
【００４３】
次に、図４に示すように、圧力隔壁固定板３０の上方の定位置に予め用意されていた第２の抄紙装置８を構成する第２の抄紙網４および第２の抄紙網支持部１６を移動体３１を介してガイドレール２０に沿って一層目の紙層２５の上方に移動する。そして、第２の抄紙網支持部１６および第２の抄紙網４を降下し、第２の真空ポンプ１９を駆動し、一層目の紙層２５を第２の抄紙網４の下面に吸着、移載した後にエアシリンダー４８を介し上昇させ、この吸着した状態を第２の抄紙工程が終了し、後述する取出し盤３５側へ吸着、移載（図１７）するまで維持する。
【００４４】
次に、図５に示すように、一層目の紙層２５を吸着した状態の第２の抄紙網４および第２の抄紙網支持部１６を再び移動体３１を介しガイドレール２０に沿って圧力隔壁固定板３０の上方の定位置、すなわち圧力隔壁５上に移動させる。
【００４５】
なお、図５において、３３は第２の抄紙槽７の底部に設けられた撹拌制御用じゃま板、４６は撹拌制御用じゃま板３３の後方であって第２の抄紙槽７の底部ほぼ中央に連結された第２のパルプスラリーＰ２を第２の抄紙槽７内に圧送するパルプスラリー供給用の管、４７は第２の抄紙槽７の上部に設けられ、オバーフローした第２のパルプスラリーＰ２を循環タンク（図示せず）に送る管である。
【００４６】
次に、一層目の紙層２５を吸着した状態の第２の抄紙網４および第２の抄紙網支持部１６を降下させ、下方の定位置にある圧力隔壁５を設けた圧力隔壁固定板３０と一体となす。
【００４７】
この時点で、上から順に第２の抄紙網支持部１６、第２の抄紙網４、一層目の紙層２５、圧力隔壁固定板３０、圧力隔壁下部スリット３２を有する圧力隔壁５が一体となる。
【００４８】
さらに降下を続け、圧力隔壁下部スリット３２を有する圧力隔壁５の下端が第２の抄紙槽７の中の第１のパルプスラリーＰ１とは物性が異なる第２のパルプスラリーＰ２の液面に達する。
【００４９】
さらに降下を続けると、図６に示すように、圧力隔壁下部スリット３２を設けた圧力隔壁５の下端の一部が第２のパルプスラリーＰ２の液面に入る。この時、圧力隔壁下部スリット３２の上端は未だ第２のパルプスラリーＰ２の液面の上にあり、圧力隔壁５の内部は圧力隔壁下部スリット３２を通じて大気圧と等しくなっている。
【００５０】
なお、第２の抄紙槽７内の第２のパルプスラリーＰ２はパルプスラリー供給用の管４６を介し内部に圧送され、撹拌制御用じゃま板３３を介し下側から上流に循環し乱流状態にあり、液面は丸で囲んだＢで示すように波だっているが、圧力隔壁５内の液面は丸で囲んだＡで示すように圧力隔壁５によって波立ちが遮られ外側に比べ穏やかになっている。
【００５１】
さらに降下を続け、図７に示すように、圧力隔壁下部スリット３２が完全に第２のパルプスラリーＰ２の液面の下、すなわち液中に入った状態で降下を停止する。この時点では、圧力隔壁５の上部、圧力隔壁固定板３０、一層目の紙層２５、第２の抄紙網４、第２の抄紙網支持部１６は第２のパルプスラリーＰ２の液面の上に位置し、液中に入っていない。
【００５２】
圧力隔壁下部スリット３２が完全にパルプスラリーＰ２の液中に入ったことにより圧力隔壁５の中は大気と遮断される。
【００５３】
一層目の紙層２５を吸着、移載の後、常に真空ポンプ１９、第２の抄紙網支持部１６、その吸着排気用の孔１６Ａなどによって吸着排気状態にあることにより、大気との遮断によって圧力隔壁５の中の空気の減圧が開始され、圧力隔壁５の中の空気が減圧するにつれ、第２のパルプスラリーＰ２の液面にかかる大気圧との間に圧力差を生じて圧力隔壁５の中の液面は上昇を始める。この圧力隔壁５内の液面は穏である。
【００５４】
そして、図８に示すように、圧力隔壁５の内外の圧力差により圧力隔壁５の中の液面はさらに上昇を続ける。この時、第２の抄紙槽７の中にある第２のパルプスラリーＰ２はその液中に分散されている高密度のパルプ、セラミック、雲母などの原料の均一な分散状態を保ち、沈降を防ぐために、撹拌制御用じゃま板３３下部より圧入され、循環される第２のパルプスラリーＰ２により撹拌され、第２の抄紙槽７内は前述のように強い乱流状態になっている。
【００５５】
第２の抄紙層７の中を出て圧力隔壁５の中を上昇するパルプスラリーＰ３は圧力隔壁５の外壁により、この強い乱流から保護されて、水平かつ層流に近い状態で上昇を続ける。
【００５６】
図９に示すように、圧力隔壁５の中を上昇するパルプスラリーＰ３の液面が、その上方に位置する一層目の紙層２５に接した時点で第２の抄紙、すなわち上方へ排水しての紙層形成が開始される。圧力隔壁５内のパルプスラリーを符号Ｐ３とし、第２のパルプスラリーＰ２と区別したのは、圧力隔壁５内のパルプスラリーＰ３は乱流していないことを意味している。
【００５７】
すなわち、第２のパルプスラリーＰ２の強い乱流状態中に直接一層目の紙層２５を置くと第２のパルプスラリーＰ２との接触により十分に水を含んで粘度が低下し、流動し易くなった一層目の紙層２５は強い乱流の力を受けて変形したり、一部が剥離するなどの擾乱現象がおきる。
【００５８】
しかしながら、この構成では一層目の紙層２５が第２のパルプスラリーＰ２の強い乱流状態の中に直接、置かれることがなく、なおかつ圧力隔壁５の中を上昇するパルプスラリーＰ３は、液中に置かれた圧力隔壁５の下部により、第２のパルプスラリーＰ２の強い乱流から保護され、層流に近い状態で上昇して一層目の紙層２５に接するため、十分に水を含んで、粘度が低下し、流動し易くなった一層目の紙層２５をパルプスラリーＰ３が擾乱することはない。
【００５９】
そして、図１０に示すように、第２の抄紙網支持部１６の上方に排水しながら一層目の紙層２５の表面に二層目の紙層２６が形成する。二層目の紙層２６が目的とする質量に達するのに必要な所定の時間にわたり第２の抄紙網支持部１６の上方に排水して紙層２６を形成する。
【００６０】
このように下方から上方に向って第２のパルプスラリーＰ２を排水して抄紙を行うことを逆さ漉きという。
【００６１】
所定の時間、二層目の紙層２６を形成した後、図１１に示すように、上方への排水を維持しながら一体となった第２の抄紙網支持部１６、第２の抄紙網４等をエアシリンダー４８を介し上昇させ、圧力隔壁固定板３０、圧力隔壁５、圧力隔壁下部スリット３２も上昇させる。
【００６２】
上昇の過程で、圧力隔壁下部スリット３２の上端が第２の抄紙層７の中にあるパルプスラリーＰ２の液面より上に出てパルプスラリーＰ３で満たされた圧力隔壁５の中に大気が徐々に流入し始める。
【００６３】
この大気の流入量は圧力隔壁下部スリット３２の数、幅、形状等と圧力隔壁５の上昇速度により最適状態に制御される。
【００６４】
流入した大気は気泡となって上昇し、二層目の紙層２６の下に達する。
【００６５】
図１２に示すように、さらに上昇を続けるにつれ、圧力隔壁下部スリット３２が第２のパルプスラリーＰ２の液面より上に出る面積が増加し、これに比例して圧力隔壁５の中への大気の流入量を制御しながら滑らかに増加させる。
【００６６】
この滑らかな空気の流入量の増加に合わせて圧力隔壁５の中にあるパルプスラリーＰ３の液面が徐々に、水平かつ層流に近い安定した状態で低下を続ける。そして、この液面が二層目の紙層２６の表面より離れた時点で二層目の紙層２６の形成が終了する。
【００６７】
図１３に示すように、さらに上昇を続け、圧力隔壁５の下端が第２の抄紙層７の中にある第２のパルプスラリーＰ２の液面より完全に離れた時点で、圧力隔壁５の中のパルプスラリーＰ３は既に第２の抄紙槽７の中に流下しており、大気に満たされている。
【００６８】
この圧力隔壁下部スリット３２が無いと、圧力隔壁５の下端が第２の抄紙層７の中にある第２のパルプスラリーＰ２の液面より一斉に離れるため、圧力隔壁５の中に満たされているパルプスラリーＰ３の中に大気が一気に流入し、これに合わせて圧力隔壁５の中に満たされているパルプスラリーＰ３が一気に落下する。
【００６９】
このパルプスラリーＰ３の落下は圧力隔壁５の中で制御不可能な、不規則かつ激しく落下する液流を生み出し、パルプスラリーＰ３と接して、十分に水を含んで、粘度が低下し、流動し易くなっている二層目の紙層２６を変形させたり、一部が剥離するなどの擾乱現象を起こす。
【００７０】
この現象は、特許第３５１７７３６号のような、圧力隔壁５を持たない重力に逆らって排水を行ういわゆる逆さ漉き製法には程度の差は現れ、共通して発生する欠点である。
【００７１】
図１４に示すように、さらに上昇を続け、圧力隔壁５を設けた圧力隔壁固定板３０が定位置に至って停止する。エアシリンダー４８を介し第２の抄紙網支持部１６、第２の抄紙網４、一層目の紙層２５、二層目の紙層２６は、停止した圧力隔壁５が設けられた圧力隔壁固定板３０から分離され、さらに上昇を続け、定位置に戻った時点で停止する。
【００７２】
第２の抄紙装置８の近くには取出し盤３５が位置している。この取出し盤３５は取出し盤移動用スライドレール３６に対し移動可能に設けられ、かつ上部に設けられたエアシリンダー４２によって昇降自在に構成されている。
【００７３】
次に、図１５に示すように、一層目の紙層２５、二層目の紙層２６を吸着した第２の抄紙網支持部１６を移動体３１を介しガイドレール２０に沿って次工程の取出し盤３５の下方に移動する。
【００７４】
なお、第２の抄紙網支持部１６の上方に排水しながら、一層目の紙層２５の表面に二層目の紙層２６を形成する際、第２の抄紙網支持部１６の内部は排水で満たされている。二層目の紙層２６の形成が終了すると、この紙層を通して空気が吸引され第２の抄紙網支持部１６の内部に入り、排水と上昇する空気の混合した状態となる。
【００７５】
一般的にポンプなどを用いて水を上方に吸引して揚水しようとした場合、この水に空気が混じると、軽い空気が上方に集まり、揚水の効率が極端に低下する現象が見られる。この現象が発生すると、第２の抄紙網支持部１６の内部には排水仕切れなかった水が残留する。第２の抄紙網支持部１６の上部からの吸着排気が続く限り、この残留水は第２の抄紙網支持部１６の内部に保持されるが、形成した紙層を第２の抄紙網支持部１６から取出すためにこの吸引、排気を止めると、残留水は重力により、その下方にある形成した紙層に流下してくる。
【００７６】
これにより形成した紙層の一部が水を含んで流動性を増し、変形や剥離を起こす現象が出る。これは、重力に逆らって上方に排水する、逆さ漉きの原理的な欠点であり、本発明では、これを解消するため、図６〜図１３等に示したように、第２の抄紙網支持部１６の内部を単なる空洞とせず、多くの排水用細管状の第３の孔１６ｃ等を設けて、内部の実質容積を減少させ、単位面積当たりの吸引圧力を上げて極力残留水を減少させている。
【００７７】
次に、図１６に示すように、取出し盤３５の下方に静止した状態で、第２の抄紙網支持部１６に設けられている回転装置（図示せず）を駆動して第２の抄紙網支持部１６を１８０度回転させる。この回転機構は公知である。これにより、第２の抄紙網支持部１６の上方に一層、二層の紙層２５、２６からなる形成物が位置し、さらにその上方に、取出し盤３５が位置している。この取出し盤３５の内部も細管構造に形成している。
【００７８】
次に、図１７に示すように、エアシリンダー４２を駆動して取出し盤３５を降下させ、第２の抄紙網支持部１６上に保持されている一層目の紙層２５と二層目の紙層２６の形成物を吸着、移載の後に取出し盤３５を上昇させる。この場合、吸着した状態は維持される。
【００７９】
取出し盤３５の内部には細管状の複数の吸着用の孔４３が形成され、かつ吸着用の真空ポンプ４４と接続され、真空ポンプ４４を駆動することにより一層目の紙層２５と二層目の紙層２６は吸着される。この吸着状態は維持される。
【００８０】
なお、図１７中、符号３７は脱水盤、３９は脱水盤３７の上部に設けられた金網で、一層目の紙層２５と二層目の紙層２６が含んでいる水分を除去するためのものである。これらの構成は公知である。
【００８１】
次に、図１８に示すように、一層目の紙層２５と二層目の紙層２６を吸着した状態の取出し盤３５を、取出し盤移動用スライドレール３６に沿って脱水盤３７の上に置かれた金網３９の上方に移動する。この移動手段は周知の適宜の構成のものを用いれば良い。
【００８２】
次に、図１９に示すように、一層目の紙層２５と二層目の紙層２６が保持されている取出し盤３５をエアシリンダー４２を動作させ降下させ、脱水盤３７の上に置かれた金網３９に一層目の紙層２５と二層目の紙層２６を吸着、移載する。その後、取出し盤３５は上昇させられる。
【００８３】
次に、図２０に示すように、金網３９上に置かれた一層目の紙層２５と二層目の紙層２６を、金網３９を固定する金網ホルダー３８と共に人力により、脱水盤３７から取出す。そして、予め用意されている凹成形金型４０の上に移載する。
【００８４】
さらに、凸成形金型４１を降下して重ね合わせ、金網３９、一層目の紙層２５、二層目の紙層２６を同時に加熱プレス成形する。
【００８５】
次に、金型から取出して金網３９より乾燥した紙料を取出せば多層構造の振動板が完成する。
【００８６】
図２１は作製された多層振動板の一例の半断面図を示す。
【００８７】
なお、上記実施例では二層の場合について説明したが、第３、第４等の抄紙槽（図示せず）を別途用意しておき、一層目の紙層２５と二層目の紙層２６とが吸着された第２の抄紙網４を第３、第４等の抄紙槽側に移動し、逆さ漉きによって三層目以降の紙層を形成することも可能であり、この場合も本発明によれば形成物を損なうことがなく品質の安定した多層構造の振動板を製造することができる。
【図面の簡単な説明】
【００８８】
【図１】（ａ）は本発明の一実施例にかかる製造装置の概略説明図、（ｂ）は圧力隔壁固定板ストッパー４５の説明図を示す。
【図２】本発明の製造方法の一工程説明図。
【図３】本発明の製造方法の次の工程説明図。
【図４】本発明の製造方法の次の工程説明図。
【図５】本発明の製造方法の次の工程説明図。
【図６】本発明の製造方法の次の工程説明図。
【図７】本発明の製造方法の次の工程説明図。
【図８】本発明の製造方法の次の工程説明図。
【図９】本発明の製造方法の次の工程説明図。
【図１０】本発明の製造方法の次の工程説明図。
【図１１】本発明の製造方法の次の工程説明図。
【図１２】本発明の製造方法の次の工程説明図。
【図１３】本発明の製造方法の次の工程説明図。
【図１４】本発明の製造方法の次の工程説明図。
【図１５】本発明の製造方法の次の工程説明図。
【図１６】本発明の製造方法の次の工程説明図。
【図１７】本発明の製造方法の次の工程説明図。
【図１８】本発明の製造方法の次の工程説明図。
【図１９】本発明の製造方法の次の工程説明図。
【図２０】本発明の製造方法の次の工程説明図。
【図２１】本発明の製造装置、製造方法によって製造された振動板の半断面図を示す。
【符号の説明】
【００８９】
１    第１の抄紙網
２    第１の抄紙槽
３    第１の抄紙装置
４    第２の抄紙網
５    圧力隔壁
５ａ    圧力隔壁フランジ
６    搬送手段
７    第２の抄紙槽
８    第２の抄紙装置
９    第１の抄紙網支持部
９ａ    抄紙網支持台
１０    第１の原料タンク
１１    パルプスラリー供給管
１２    第１の調整弁
１３    孔
１３ａ    排水管
１５    第１の真空ポンプ
１６    第２の抄紙網支持部
１６Ａ    吸着排気用の孔
１９    第２の真空ポンプ
２０    ガイドレール
２０ａ    ガイドレール支持部
２５    一層目の紙層
２６    二層目の紙層
３０    圧力隔壁固定板
３１    移動体
３２    圧力隔壁下部スリット
３３    撹拌制御用じゃま板
３４    支持台
３５    取出し盤
３６    取出し盤移動用スライドレール
３７    脱水盤
３８    金網ホルダー
３９    金網
４０    凹成形金型
４１    凸成形金型
４２    エアシリンダー
４３    吸着用の孔
４４    吸着用の真空ポンプ
４５    圧力隔壁固定板ストッパー
４６    パルプスラリー供給用の管
４７    管
４８    エアシリンダー
Ｐ１    第１のパルプスラリー
Ｐ２    第２のパルプスラリー
Ｐ３    パルプスラリー
【図１】
2006180360.tif 000003
【図２】
2006180360.tif 000004
【図３】
2006180360.tif 000005
【図４】
2006180360.tif 000006
【図５】
2006180360.tif 000007
【図６】
2006180360.tif 000008
【図７】
2006180360.tif 000009
【図８】
2006180360.tif 000010
【図９】
2006180360.tif 000011
【図１０】
2006180360.tif 000012
【図１１】
2006180360.tif 000013
【図１２】
2006180360.tif 000014
【図１３】
2006180360.tif 000015
【図１４】
2006180360.tif 000016
【図１５】
2006180360.tif 000017
【図１６】
2006180360.tif 000018
【図１７】
2006180360.tif 000019
【図１８】
2006180360.tif 000020
【図１９】
2006180360.tif 000021
【図２０】
2006180360.tif 000022
【図２１】
2006180360.tif 000023